(57)【特許請求の範囲】
【請求項１】
揺動可能に取り付けられた複数のペダルと、
各ペダルの揺動に応じて上下に移動する複数の突上棒と、
各突上棒と一体となって上下動するように連結された複数の円筒状プランジャと、
各プランジャを上下動可能に内蔵し、該プランジャを演奏情報に基づいて上下動させる複数のソレノイドと、
各突上棒と各プランジャとを連結して各突上棒を前後方向に揺動可能に支持すると共に、前記複数の突上棒同士を連結する弾性部材と
を備え、
前記弾性部材は、各突上棒と各プランジャとを連結して各突上棒を前後方向に揺動可能に支持する複数の支持軸部を有し、前記複数の支持軸部同士を連結することで前記複数の突上棒同士を連結しており、その弾性力が、各突上棒の上下動を許容するように設定される一方、いずれかの突上棒がプランジャと一緒に軸回転した場合にはその突上棒をプランジャと共に元の状態に復帰させるように設定される
ことを特徴とする自動演奏ピアノのペダル機構。
【請求項２】
揺動可能に取り付けられた複数のペダルと、
各ペダルの揺動に対応して上下に移動する複数の突上棒と、
各突上棒と一体となって上下動するように連結された複数の円筒状プランジャと、
各プランジャを上下動可能に内蔵し、該プランジャを演奏情報に基づいて上下動させる複数のソレノイドと、
各突上棒と各プランジャとを連結して各突上棒を前後方向に揺動可能に支持すると共に、前記複数の突上棒同士を連結する弾性部材と
を備え、
前記弾性部材は、各突上棒と各プランジャとを連結して各突上棒を前後方向に揺動可能に支持する複数の支持軸部を有し、前記複数の支持軸部同士を連結する区間が平面状に形成されるとともにその平面に対して垂直な方向と突上棒が上下に移動する方向とが略平行となっている平面部となっており、各突上棒の上下動を許容する一方、各突上棒が軸回転するプランジャと一緒に軸回転するのを阻止する
ことを特徴とする自動演奏ピアノのペダル機構。
【請求項３】
各プランジャの上端に連結され、前記ペダルの揺動又は前記プランジャの上下動を所定の動作機構に伝達する複数の連結棒を備え、
前記弾性部材は、前記ペダルの揺動又は前記プランジャの上昇によって前記所定の動作機構に伝達される力を弱める
ことを特徴とする請求項１又は２記載の自動演奏ピアノのペダル機構。
【請求項４】
前記弾性部材は、前記プランジャ及び前記ソレノイドを有さない中央の突上棒を迂回して、前記プランジャ及び前記ソレノイドを有する左側の突上棒と同じく前記プランジャ及び前記ソレノイドを有する右側の突上棒とを連結する
ことを特徴とする請求項１〜３のいずれかに記載の自動演奏ピアノのペダル機構。
【発明の詳細な説明】
【０００１】
【発明の属する技術分野】
本発明は、自動演奏が可能なグランドピアノのペダル機構に関する。
【０００２】
【従来の技術】
従来より、自動演奏が可能なグランドピアノは、記憶媒体に記憶された演奏データを読み取り、この演奏データに基づいて鍵盤及びペダルを駆動して自動演奏を行うものである。
【０００３】
この種のピアノのペダル機構としては、図６に示すように、ペダル１０１、突上棒１０２、プランジャ１０３、ソレノイド１０４等を備えたものが知られている。
ペダル１０１は、支点１０８を中心として揺動可能に支持されている。また、突上棒１０２は、このペダル１０１の奧側に接続され、ペダル１０１の揺動に対応して上下に移動するように取り付けられている。更に、プランジャ１０３は、下端側にて突上棒１０２と一体化され、この突上棒１０２と共に上下動するように接続されている。そして、ソレノイド１０４は、このプランジャ１０３を上下に直進運動できるように内蔵している。
【０００４】
突上棒１０２は、上端側がスプリングピン１０６を介してプランジャ１０３に接続され、このスプリングピン１０６を中心として前後方向に揺動可能となっている。また、下端側がゴムキャップ１０７を介してペダル１０１の奧側に差し込まれ、ゴムキャップ１０７が弾性変形することによりペダル１０１に対して角度変位可能となっている。
【０００５】
このペダル機構において、演奏者がペダル１０１を踏み込むか又はソレノイド１０４に通電されてプランジャ１０３が上方に吸引されると、ペダル１０１、突上棒１０２、プランジャ１０３は図中実線で示す静止位置から図中二点鎖線で示す踏み込み位置に移行する。
【０００６】
【発明が解決しようとする課題】
ところで、プランジャ１０３は円筒状であるため、軸回転することが許容されている。このため、例えば長年ピアノを使用しているうちにプランジャ１０３の向きが変わってスプリングピン１０６が鍵盤並び方向（図７（ａ）参照）から斜めにずれることがある（図７（ｂ）参照）。
【０００７】
このようにスプリングピン１０６が斜めにずれた状態で、演奏者がペダル１０１を踏み込むか又はソレノイド１０４に通電されてプランジャ１０３が上方に吸引されると、ゴムキャップ１０７が片減りしたり、スプリングピン１０６が歪んだり、プランジャ１０３がソレノイド１０４と接触したりして各種部品の耐久性が悪化するという問題があった。
【０００８】
本発明はこのような問題点を解決することを課題とするものであり、各種部品の耐久性を向上する自動演奏ピアノのペダル機構を提供することを目的とする。
【０００９】
【課題を解決するための手段及び発明の効果】
前記課題を解決するため、本発明の第１は、ペダル、突上棒、円筒状プランジャ、ソレノイドを１組とするペダル組を複数備えた自動演奏ピアノのペダル機構であって、
各突上棒と各プランジャとを連結して各突上棒を前後方向に揺動可能に支持すると共に、前記複数の突上棒同士を連結する弾性部材を備え、この弾性部材は、各突上棒と各プランジャとを連結して各突上棒を前後方向に揺動可能に支持する複数の支持軸部を有し、前記複数の支持軸部同士を連結することで前記複数の突上棒同士を連結しており、その弾性力が、各突上棒の上下動を許容するように設定される一方、いずれかの突上棒がプランジャと一緒に軸回転した場合にはその突上棒をプランジャと共に元の状態に復帰させるように設定されることを特徴とする。
【００１０】
このペダル機構では、ペダルは回転運動をするのに対してプランジャは上下方向に直進運動をするため、両者に架け渡された突上棒は上下動しつつ前後方向に揺動するように構成されている。即ち、突上棒は、弾性部材により前後方向に揺動可能に支持されている。このことから、弾性部材は、［従来の技術］の欄で説明したスプリングピンの役割を果たす。
【００１１】
一方、弾性部材は、プランジャや突上棒が軸回転したとしても元の状態に復帰するように作用する。例えば複数のペダル組のうち一つのペダル組のプランジャが軸回転したとき、そのプランジャに連結された突上棒も連動して軸回転するが、その突上棒は他の突上棒と弾性部材によって連結されているため、弾性部材は当初の姿勢から歪んだ状態になる。すると、弾性部材は自己の弾性力により当初の姿勢に復帰し、それに伴って突上棒及びプランジャも元の状態に復帰する。
【００１２】
このペダル機構によれば、長年ピアノを使用したとしても、突上棒及びプランジャは常に当初の姿勢が保持され、また従来のスプリングピンの役割を果たす弾性部材も常に当初の姿勢が保持される。このため、従来のようにスプリングピンが斜めにずれて各種部品の耐久性が劣化するという事態を防止し、各種部品の耐久性を向上することができる。
【００１３】
本発明の第２は、ペダル、突上棒、円筒状プランジャ、ソレノイドを１組とするペダル組を複数備えた自動演奏ピアノのペダル機構であって、
各突上棒と各プランジャとを連結して各突上棒を前後方向に揺動可能に支持すると共に、前記複数の突上棒同士を連結する弾性部材を備え、この弾性部材は、各突上棒と各プランジャとを連結して各突上棒を前後方向に揺動可能に支持する複数の支持軸部を有し、前記複数の支持軸部同士を連結する区間が平面状に形成されるとともにその平面に対して垂直な方向と突上棒が上下に移動する方向とが略平行となっている平面部となっており、各突上棒の上下動を許容する一方、各突上棒が軸回転するプランジャと一緒に軸回転するのを阻止することを特徴とする。
【００１４】
このペダル機構は、既述の本発明の第１と同様に作用するが、本発明の第１では、弾性部材がプランジャや突上棒が軸回転したとしても元の状態に復帰するように作用したのに対して、ここでは、各突上棒が軸回転するプランジャと一緒に軸回転するのを阻止する点が異なる。但し、得られる効果は、本発明の第１と同様である。
【００１５】
本発明の第１、第２において、弾性部材は、ペダルの揺動又は前記プランジャの上昇によって動作機構に伝達される力を弱めるように構成してもよい。この場合、動作機構における異音の発生が抑制される。
動作機構としてラウド機構を例に挙げて説明すると、ラウド機構は、ペダルの踏み込み又はプランジャの上昇によってプランジャの上端に連結された連結棒がラウドレバーを押し上げ、それに伴ってダンパが弦から離れる方向に移動して打弦音を長く響かせる機構である。ここで連結棒がラウドレバーを押し上げる際、連結棒とラウドレバーとが衝突して異音が発生することがある。しかし、弾性部材がこのときの衝突力を弱めるため、異音の発生が抑制されるのである。
【００１６】
また、本発明の第１、第２において、弾性部材は、プランジャ及びソレノイドを有さない中央の突上棒を迂回して、プランジャ及びソレノイドを有する左側の突上棒と同じくプランジャ及びソレノイドを有する右側の突上棒とを連結するように構成してもよい。
【００１７】
一般にグランドピアノでは、左側ペダルがソフトペダル、中央ペダルがサスタニングペダル、右側ペダルがラウドペダルであるが、通常、自動演奏時にはサスタニング機構を動作させることなくプログラム上の処理で同機構の作用を実現できることから、サスタニングペダルの突上棒にはプランジャ及びソレノイドが取り付けられていない。このような場合には、弾性部材は中央の突上棒を迂回して左右の突上棒を連結する構成とすればよく、具体的には例えばクランク状に屈曲した形状にすればよい。
【００１８】
【発明の実施の形態】
以下に、本発明の好適な実施形態を図面に基づいて説明する。
図１は本実施形態の自動演奏ピアノのペダル機構をピアノ背面から見たときの概観図、図２は本実施形態の要部斜視図である。
【００１９】
このペダル機構１０は、自動演奏が可能なグランドピアノに取り付けられたものである。なお、このピアノは、記憶媒体に記憶された演奏データを読み取り、この演奏データに基づいて鍵盤及びペダルを駆動して自動演奏を行うものであるが、この点は既に周知であるため、ここでは本発明に係わるペダル機構についてのみ説明する。
【００２０】
ペダル機構１０は、▲１▼ソフトペダル１１ａ、突上棒１２ａ、プランジャ１３ａ、ソレノイド１４ａ、連結棒１５ａを備えたペダル組１０ａと、▲２▼サスタニングペダル１１ｂ、突上棒１２ｂ、連結棒１５ｂを備えたペダル組１０ｂと、▲３▼ラウドペダル１１ｃ、突上棒１２ｃ、プランジャ１３ｃ、ソレノイド１４ｃ、連結棒１５ｃを備えたペダル組１０ｃとを備えている。また、突上棒１２ａと突上棒１２ｃとを連結する弾性部材としてのスチールワイヤ１６を備えている。
【００２１】
ソフトペダル１１ａは、ピアノ正面から見て左側のペダルで、ソフトペダル１１ａが踏み込まれると、連結棒１５ａを介してソフト機構２０ａに力が伝達され、このソフト機構２０ａが機能する。ソフト機構２０ａが機能すると、鍵盤、アクション、ハンマーの全体が右へ２〜３ｍｍスライドし、今まで３本の弦を叩いていたハンマーは２本に、２本の弦や１本の弦を打っていたハンマーはいつも使っていないハンマーの端の部分で叩くことになり、これによって音がソフトになる。
【００２２】
サスタニングペダル１１ｂは、ピアノ正面から見て中央のペダルで、ソステヌートペダルとも称される。鍵盤を押さえた後にサスタニングペダル１１ｂが踏み込まれると、連結棒１５ｂを介してサスタニング機構２０ｂに力が伝達され、このサスタニング機構２０ｂが機能する。サスタニング機構２０ｂが機能すると、その鍵盤から指を離してもその音だけのダンパが弦から離れたままとなる。このため、例えば１つの音又はある和音を響かせながらスタッカートで弾くことが可能になる。
【００２３】
ラウドペダル１１ｃは、ピアノ正面から見て右側のペダルで、ダンパペダルあるいはサスティンペダルとも称される。このラウドペダル１１ｃが踏みこまれると、連結棒１５ｃを介してラウド機構２０ｃに力が伝達され、このラウド機構２０ｃが機能する。ラウド機構２０ｃが機能すると、ダンパが一斉に弦から離れ、弦から指を離してもダンパは弦から離れたままとなり、長く振動させ続けたり、音を持続させて次の音を弾くことが可能になる。
【００２４】
続いて、ペダル組１０ａの構成について説明する。ソフトペダル１１ａは、支点（図示せず）を中心として揺動可能に支持されているものであり、図６に示した従来のペダル１０１と同等のものである。
突上棒１２ａは、下端がソフトペダル１１ａの奧側にゴムキャップ１７ａを介して接続され、ソフトペダル１１ａの揺動に対応して上下に移動するように取り付けられている。
【００２５】
プランジャ１３ａは、円筒状に形成され、下端側にて突上棒１２ａと一体化され、この突上棒１２ａと共に上下動するように接続されている。具体的には、プランジャ１３ａの下端側にシャフト１８ａが設けられ、このシャフト１８ａの下側に二股部１９ａが形成され、突上棒１２ａの上端がこの二股部１９ａに挿入された状態で、スチールワイヤ１６の支持軸部１６ａにて支持されている。この支持軸部１６ａは鍵盤並び方向に平行に形成されているため、突上棒１２ａは前後方向に揺動可能となっている。
【００２６】
ソレノイド１４ａは、プランジャ１３ａを上下に直進運動できるように内蔵しており、図示しないコントローラからの制御信号によって通電・非通電が制御される。このソレノイド１４ａが通電されると磁界が発生し、それによってプランジャ１３ａが上方に吸引される。ソレノイド１４ａへの通電が停止されると磁界が消失し、それによってプランジャ１３ａは下方に落下する。
【００２７】
連結棒１５ａは、プランジャ１３ａの上端に接続され、突上棒１２ａ及びプランジャ１３ａの上下動に伴って上下動するものである。この連結棒１５ａは、ソフト機構２０ａに力を伝達するように構成されている。
続いて、ペダル組１０ｂの構成について説明する。サスタニングペダル１１ｂは、従来のペダル１０１と同等のものである。突上棒１２ｂは、下端がこのサスタニングペダル１１ｂの奧側にゴムキャップ１７ｂを介して接続され、サスタニングペダル１１ｂの揺動に対応して上下に移動するように取り付けられている。連結棒１５ｂは、突上棒１２ｂの上端に接続され、突上棒１２ｂの上下動に伴って上下動するものである。この連結棒１５ｂは、サスタニング機構２０ｂに力を伝達するように構成されている。
【００２８】
なお、自動演奏時にはサスタニング機構２０ｂを動作させることなくプログラム上の処理で同機構の作用を実現できることから、サスタニングペダル１１ｂの突上棒１２ｂにはプランジャ及びソレノイドが取り付けられていない。
続いて、ペダル組１０ｃの構成についてであるが、これはペダル組１０ａとほぼ同様の構成であるため、同じ構成要素には同じ符号を付し、末尾のアルファベットを「ｃ」と表示し、その説明を省略する。なお、連結棒１５ｃは、ラウド機構２０ｃに力を伝達するように構成されている。
【００２９】
本実施形態のスチールワイヤ１６は、突上棒１２ａを前後方向に揺動可能に支持する支持軸部１６ａと、突上棒１２ｃを前後方向に揺動可能に支持する支持軸部１６ｃとを備えているが、図２に示すように突上棒１２ｂを迂回しつつ両突上棒１２ａ、１２ｃを連結するためにクランク形状に形成されている。
【００３０】
また、スチールワイヤ１６の弾性力は、各突上棒１２ａ、１２ｃの上下動を許容するように、つまり両突上棒１２ａ、１２ｃの一方が上昇したとしても他方は静止したままとなるように設定されると共に、両突上棒１２ａ、１２ｃのうち例えば突上棒１２ａがプランジャ１３ａと一緒に軸回転した場合にはその突上棒１２ａをプランジャ１３ａと共に元の状態に復帰させるように設定されている。
【００３１】
次に、本実施形態のペダル機構１０の動作について説明する。ここでは、ペダル組１０ｃについて説明する。
まず、自動演奏ではなく演奏者が通常の演奏を行う場合、演奏者がラウドペダル１１ｃを踏み込むと、ラウドペダル１１ｃが揺動して奧側が上昇し、それに応じて突上棒１２ｃも上昇する。
【００３２】
このとき、ラウドペダル１１ｃが回転運動するのに対して、プランジャ１３ｃはソレノイド１４ｃの内部を上下に直進運動する。このため、両者を連結する突上棒１２ｃは、スチールワイヤ１６の支持軸部１６ｃを中心として前方へ揺動しつつ、ゴムキャップ１７ｃを弾性変形させてラウドペダル１１ｃとの角度を変えながら、上昇していく。突上棒１２ａと突上棒１２ｃはスチールワイヤ１６によって連結されているが、突上棒１２ｃが上昇したとしてもスチールワイヤ１６は弾性変形してこれを許容するため、突上棒１２ａは静止したままである。このときの様子を図３に示す。
【００３３】
このようにして突上棒１２ｃが上昇するのに伴って、プランジャ１３ｃ及び連結棒１５ｃも上昇し、連結棒１５ｃはラウド機構２０ｃに力を伝達する。
ラウド機構２０ｃは、図４に示すように、一端が棚板２５の下面に対して回動可能に支持されたラウドレバー３１と、このラウドレバー３１の他端が押し上げられたときにリフティング突上棒３２を介して上昇するリフティングレール３３とを備えている。
【００３４】
このラウド機構２０ｃに連結棒１５ｃから力が伝達されると、連結棒１５ｃはラウドレバー３１の他端に衝突してこれを押し上げ、その結果リフティングレール３３が上昇し、全てのダンパレバー２６が上方に回動されることによりダンパ２８が弦２７から離間して、弦２７を長く振動させ続けたり、音を持続させて次の音を弾くことが可能になる。
【００３５】
次に、自動演奏の場合、図示しないコントローラが演奏情報に基づいてソレノイド１４ｃへの通電・非通電を切り換える。そして、ソレノイド１４ｃに通電した場合には、プランジャ１３ｃが吸引されて上昇し、これと共に突上棒１２ｃや連結棒１５ｃも上昇する。
【００３６】
突上棒１２ｃが上昇すると、ゴムキャップ１７ｃを介してラウドペダル１１ｃの奧側が持ち上げられるため、ラウドペダル１１ｃが踏み込まれた状態になる。このとき、ラウドペダル１１ｃが回転運動するのに対して、プランジャ１３ｃはソレノイド１４ｃの内部を上下に直進運動するため、両者を連結する突上棒１２ｃは、スチールワイヤ１６の支持軸部１６ｃを中心として前方へ揺動しつつ、ゴムキャップ１７ｃを弾性変形させてラウドペダル１１ｃとの角度を変えながら、上昇していく。突上棒１２ａと突上棒１２ｃはスチールワイヤ１６によって連結されているが、突上棒１２ｃが上昇したとしてもスチールワイヤ１６は弾性変形してこれを許容するため、突上棒１２ａは静止したままである。このときの様子を図３に示す。
また、連結棒１５ｃが上昇すると、ラウド機構２０ｃに力が伝達されて、前述の通りラウド機構２０ｃが機能する。
【００３７】
この場合も、突上棒１２ａと突上棒１２ｃはスチールワイヤ１６によって連結されているものの、突上棒１２ｃが上昇したとしてもスチールワイヤ１６は弾性変形してこれを許容するため、突上棒１２ａは静止したままである（図３参照）。
【００３８】
ところで、プランジャ１３ｃは、円筒状のため軸回転することがある。ここで、プランジャ１３ｃが軸回転した場合には支持軸部１６ｃを介して一体化されている突上棒１２ｃも同様に軸回転する。この軸回転に伴って、突上棒１２ａと突上棒１２ｃとを連結しているスチールワイヤ１６は捻られるため、当初の姿勢から歪んだ状態になる。しかし、スチールワイヤ１６は自己の弾性力により当初の姿勢に復帰し、それに伴って突上棒１２ｃ及びプランジャ１３ｃも元の状態に復帰する。
【００３９】
このため、本実施形態のペダル機構１０によれば、長年ピアノを使用したとしても、突上棒１２ａ、１２ｃ及びプランジャ１３ａ、１３ｃは常に当初の姿勢が保持され、また従来のスプリングピンの役割を果たすスチールワイヤ１６の支持軸部１６ａ、１６ｃも常に当初の姿勢が保持される。この結果、従来のようにスプリングピンが斜めにずれて各種部品の耐久性が劣化するという事態を防止でき、各種部品の耐久性が向上するという効果が得られる。
【００４０】
また、円筒状のプランジャ１３ａ、１３ｃとソレノイド１４ａ、１４ｃとの隙間は僅かであるため、プランジャ１３ａ、１３ｃの向きによっては上下動したときにソレノイド１４ａ、１４ｃと摺動して摺動音が発生することがある。このため、ピアノ出荷前はこのような摺動音の発生しない向きにプランジャ１３ａ、１３ｃを設定しておくのだが、従来はプランジャ１３ａ、１３ｃの向きを当初のまま保つことができなかった。これに対して、本実施形態では、長年ピアノを使用してもプランジャ１３ａ、１３ｃの向きが変わらないため、摺動音が発生しないという効果が得られる。
【００４１】
更に、演奏者がラウドペダル１１ｃを踏み込むか又はソレノイド１４ｃに通電されてプランジャ１３ｃが上方に吸引されると、連結棒１５ｃがラウドレバー３１に衝突するが、連結棒１５ｃが上昇する際には図２に示すようにスチールワイヤ１６が弾性変形するため、スチールワイヤ１６がない場合に比べて、上昇する際に抵抗を受ける。このため、連結棒１５ｃとラウドレバー３１との衝突音の発生が抑えられる。つまり、ラウド機構２０ｃにおける異音の発生が抑制されるという効果が得られる。
【００４２】
更にまた、ソフト機構２０ａについても同様にして衝突音が抑制される。即ちソフト機構２０ａが機能する際、周知の通り、連結棒１５ａがソフトレバーを押し上げて鍵盤、アクション、ハンマーの全体が載置された筬を所定のストッパに当たるまでずらすが、連結棒１５ａがソフトレバーに衝突するときの衝突音や、筬がストッパに当たるときの衝突音が抑制されるという効果が得られる。
【００４３】
尚、本発明の実施の形態は、前記実施形態に何ら限定されるものではなく、本発明の技術的範囲に属する限り種々の形態を採り得ることはいうまでもない。
例えば、上記実施形態では弾性部材としてスチールワイヤ１６を用いたが、その代わりに図５に示すような弾性部材２６を用いてもよい。この弾性部材２６は、スチールワイヤ１６の支持軸部１６ａ、１６ｃと同様の支持軸部２６ａ、２６ｃを備えているものの、支持軸部２６ａから支持軸２６ｃまでの区間は平面状に形成された平面部２６ｂとなっている。
【００４４】
この弾性部材２６は、突上棒１２ｃが上昇するとき平面部２６ｂが折れ曲がるように弾性変形するため、突上棒１２ａは静止したままであり、各突上棒１２ａ、１２ｃの上下動を許容する。一方、例えば突上棒１２ｃがプランジャ１３ｃと一緒に軸回転しようとしても、平面部２６ｂは図５において点線矢印で示す方向には捻れないため、この平面部２６ｂによって阻止される。したがって、この弾性部材２６を用いたときも、上記実施形態と同様の効果が得られる。
【図面の簡単な説明】
【図１】  本実施形態のペダル機構をピアノ背面からみたときの概観図である。
【図２】  本実施形態のペダル機構の要部斜視図である。
【図３】  本実施形態のペダル機構をピアノ背面からみたときの動作説明である。
【図４】  ラウド機構の説明図である。
【図５】  弾性部材の別の形態を示す説明図である。
【図６】  従来のペダル機構をピアノ側面からみたときの概観図である。
【図７】  スプリングピンの姿勢を表す説明図であり、（ａ）は当初の姿勢、（ｂ）は経年後の姿勢を表す。
【符号の説明】
１０・・・ペダル機構、
１０ａ〜１０ｃ・・・ペダル組、
１１ａ・・・ソフトペダル、
１１ｂ・・・サスタニングペダル、
１１ｃ・・・ラウドペダル、
１２ａ〜１２ｃ・・・各突上棒、
１３ａ、１３ｃ・・・プランジャ、
１４ａ、１４ｃ・・・ソレノイド、
１５ａ〜１５ｃ・・・連結棒、
１６・・・スチールワイヤ、
１６ａ、１６ｃ・・・支持軸部、
１７ａ〜１７ｃ・・・ゴムキャップ、
１８ａ、１８ｃ・・・シャフト、
１９ａ〜１９ｃ・・・二股部、
２０ａ・・・ソフト機構、
２０ｂ・・・サスタニング機構、
２０ｃ・・・ラウド機構、
【図１】
0004354071.tif 000002
【図２】
0004354071.tif 000003
【図３】
0004354071.tif 000004
【図４】
0004354071.tif 000005
【図５】
0004354071.tif 000006
【図６】
0004354071.tif 000007
【図７】
0004354071.tif 000008